(57)【要約】【課題】１次側配管から２次側配管へ向かう水の流れを遮断せずに水道メータを簡易に交換できるメータユニットを提供すること。【解決手段】水道メータユニット１は、１次側配管２と２次側配管３とを水道メータ７を経由して接続する主配管８と、水道メータ７を経由しないバイパス配管９と、を有する。主配管８は、水道メータ７の上流に位置しバイパス配管９が分岐する上流配管１１と、水道メータ７の下流に位置しバイパス配管９が合流する下流配管１２と、を有する。上流配管１１は、バイパス配管９の分岐部分に配置された流路切換弁２６を備える。上流配管１１において、流路切換弁２６の下流に位置するフランジ付き管継手２７と管部材２８とは、第１ハウジング継手２９により接続されている。管部材２８は、フランジ付き管継手２７に対して変位可能である。【選択図】図１
2020109364.tif 000002
【特許請求の範囲】
【請求項１】
１次側配管と２次側配管との間に設置されるメータユニットにおいて、
前記１次側配管と前記２次側配管とを水道メータを経由して接続する主配管と、
前記水道メータを迂回するバイパス配管と、を有し、
前記主配管は、前記水道メータの上流で前記１次側配管に接続される上流配管と、前記水道メータの下流で前記２次側配管に接続される下流配管と、を有し、
前記バイパス配管は、前記上流配管から分岐して、前記下流配管に合流し、
前記上流配管は、前記バイパス配管の分岐部分に配置された流路切換弁を含む複数の配管部材と、隣り合う２つの前記配管部材を接続する少なくとも一つのジョイント部材と、を備え、
前記ジョイント部材は、上流の前記配管部材に対して下流の前記配管部材を変位可能に接続することを特徴とするメータユニット。
【請求項２】
前記バイパス配管および前記下流配管は、一つの部材からなることを特徴とする請求項１に記載のメータユニット。
【請求項３】
前記ジョイント部材は、前記流路切換弁と前記水道メータとの間に位置することを特徴とする請求項１または２に記載のメータユニット。
【請求項４】
前記上流配管は、複数の前記配管部材の一つとして前記水道メータの隣に配置される管部材を備え、
前記管部材は、固定管と、前記固定管の管軸方向に移動可能な状態で当該固定管に同軸に支持された移動管と、前記移動管を前記固定管の管軸方向に進退させる移動管移動機構と、を備え、
前記ジョイント部材は、前記管部材の固定管と、前記管部材の上流の前記配管部材とを接続することを特徴とする請求項３に記載のメータユニット。
【請求項５】
前記ジョイント部材は、ハウジング継手であることを特徴とする請求項１から４のうちのいずれか一項に記載のメータユニット。
【請求項６】
前記主配管は、前記上流配管と前記水道メータとを接続するメータジョイント部材を備え、
前記メータジョイント部材は、前記上流配管に対して前記水道メータを変位可能に接続することを特徴とする請求項１から５のうちのいずれか一項に記載のメータユニット。
【請求項７】
前記主配管は、前記水道メータと前記下流配管との間に逆止弁を備えることを特徴とする請求項１から６のうちのいずれか一項に記載のメータユニット。
【請求項８】
前記主配管は、前記逆止弁と前記下流配管との間に止水栓を備えることを特徴とする請求項７に記載のメータユニット。
【請求項９】
前記流路切換弁および前記下流配管が固定されたベース部材を有することを特徴とする請求項１から８のうちのいずれか一項に記載のメータユニット。
【発明の詳細な説明】
【技術分野】
【０００１】
本発明は、配管の途中に設置されて配管を流れる流体の流量を計測するメータユニットに関する。
【背景技術】
【０００２】
地中に配設された１次側配管と２次側配管の間に水道メータを設置する際には、メータユニットが用いられる。特許文献１に記載のメータユニットは、１次側配管の側から２次側配管の側に向かって、止水栓と、管部材と、逆止弁と、を備える。水道メータは、接続管と逆止弁との間に着脱可能に接続される。
【０００３】
このようなメータユニットでは、止水栓を締めることにより、１次側配管から２次側配管へ向かう水の流れを水道メータよりも上流で遮断できる。従って、水漏れを生じさせることなく、水道メータを交換できる。
【先行技術文献】
【特許文献】
【０００４】
【特許文献１】特開平１１−９３２２６号公報
【発明の概要】
【発明が解決しようとする課題】
【０００５】
ここで、１次側配管から２次側配管へ向かう水の流れを遮断せずに水道メータを交換したいという要求がある。かかる要求に対しては、１次側配管と２次側配管との間にメータユニットを迂回する新たな水路を設け、当該水路を経由するように水を流した後に水道メータを取り外すことが考えられる。しかし、この場合には、新たな水路を１次側配管に接続する際に、１次側配管の側で水の流れを遮断しなければ水漏れが発生する。従って、１次側配管から２次側配管へ向かう水の流れを遮断せずに水道メータを交換することは困難である。
【０００６】
本発明の課題は、このような点に鑑みて、１次側配管から２次側配管へ向かう流体の流れを遮断せずに水道メータを交換できるメータユニットを提供することにある。
【課題を解決するための手段】
【０００７】
上記課題を解決するために、本発明は、１次側配管と２次側配管との間に設置されるメータユニットにおいて、前記１次側配管と前記２次側配管とを水道メータを経由して接続する主配管と、前記水道メータを迂回するバイパス配管と、を有し、前記主配管は、前記水道メータの上流で前記１次側配管に接続される上流配管と、前記水道メータの下流で前記２次側配管に接続される下流配管と、を有し、前記バイパス配管は、前記上流配管から分岐して、前記下流配管に合流し、前記上流配管は、前記バイパス配管の分岐部分に配置された流路切換弁を含む複数の配管部材と、隣り合う２つの前記配管部材を接続する少なくとも一つのジョイント部材と、を備え、前記ジョイント部材は、上流の前記配管部材に対して下流の前記配管部材を変位可能に接続することを特徴とする。
【０００８】
本発明によれば、メータユニットが、水道メータを経由する主配管と、主配管における水道メータよりも上流で分岐して水道メータよりも下流に合流するバイパス配管を備える。また、主配管を構成する配管部材として、バイパス配管が分岐する分岐部分には流路切換弁が配置されている。従って、１次側配管と２次側配管の間にメータユニットを設置した後に水道メータを交換する際には、流路切換弁を操作して、１次側配管から２次側配管
へ向かう流体を、バイパス配管を介して、流通させる。これにより、１次側配管から２次側配管へ向かう流体の流れを遮断せずに水道メータを交換できる。
【０００９】
ここで、メータユニットが接続される１次側配管と２次側配管とは、同軸上に位置する。しかし、１次側配管と２次側配管とが地中に埋設されている場合には、地盤の沈下、隆起、横ずれにより、これらが同軸上からずれることがある。この場合には、１次側配管に接続される上流配管および２次側配管に接続される２次側配管も同軸上からずれてしまう。また、上流配管と下流配管とはバイパス配管により接続されているので、上流配管および下流配管が同軸上からずれると、バイパス配管に外力が作用する。従って、この外力に起因して、同軸上からずれた上流配管および下流配管を再び同軸上に戻すことが困難となる。この結果、上流配管と下流配管との間に水道メータを接続できなくなるという問題が発生する。かかる問題に対して、本発明では、上流配管を構成する複数の配管部材の接続に用いられるジョイント部材が、上流の配管部材に対して下流の配管部材を変位可能に接続する。従って、ジョイント部材の下流側の配管部材を変位させることにより、上流配管の下流端開口を、下流配管と同軸に配置できる。すなわち、ジョイント部材の下流の配管部材を変位させることにより、上流配管と下流配管との間に発生した位置ずれを補正できる。これにより、上流配管と下流配管との間において水道メータを着脱することが容易となる。
【００１０】
本発明において、前記バイパス配管および前記下流配管は、一つの部材からなることが望ましい。このようにすれば、バイパス配管に外力が加わった場合でも、バイパス配管および下流配管から水漏れが発生することがない。ここで、一つの部材とは、バイパス配管および下流配管が単一の配管部材から構成されている場合、および、複数の配管部材が溶接により一体化されている場合を含む。例えば、バイパス配管および下流配管が、エルボ、管部材、チーズ、などの複数の配管部材から構成されている場合に、これらが袋ナットやボルトなどによって相互に締結されているのではなく、溶接により接続されて一体化している場合には、一つの部材からなる。
【００１１】
本発明において、前記ジョイント部材は、前記流路切換弁と前記水道メータとの間に位置するものとすることができる。このようにすれば、水道メータに比較的近い位置で上流配管と下流配管との間に発生した位置ずれを補正できるので、補正が容易である。
【００１２】
本発明において、前記上流配管は、複数の前記配管部材の一つとして前記水道メータの隣に配置される管部材を備え、前記管部材は、固定管と、前記固定管の管軸方向に移動可能な状態で当該固定管に同軸に支持された移動管と、前記移動管を前記固定管の管軸方向に進退させる移動管移動機構と、を備え、前記ジョイント部材は、前記管部材の固定管と、前記管部材の上流の前記配管部材とを接続するものとすることができる。このようにすれば、ジョイント部材の下流側の配管部材を変位させることにより上流配管の下流端と下流配管の上流端との間の距離が変化する場合に、管部材の移動管を進退させて、これらの間の距離を適切な距離とすることができる。
【００１３】
本発明において、前記ジョイント部材は、ハウジング継手とすることができる。
【００１４】
本発明において、前記主配管は、前記上流配管と前記水道メータとを接続するメータジョイント部材を備え、前記メータジョイント部材は、前記上流配管に対して前記水道メータを変位可能に接続するものとすることができる。このようなメータジョイント部材を備えれば、上流配管と下流配管とのが同軸上からずれた場合でも、水道メータを着脱しやすい。
【００１５】
本発明において、前記主配管は、前記水道メータと前記下流配管との間に逆止弁を備え
るものとすることができる。このようにすれば、２次側配管の側から水道メータに向かって水が逆流することがない。
【００１６】
本発明において、前記主配管は、前記逆止弁と前記下流配管との間に止水栓を備えるものとすることができる。このようにすれば、水道メータを交換する際に、２次側配管の側から水漏れが発生することを防止できる。
【００１７】
本発明において、前記流路切換弁および前記下流配管が固定されたベース部材を有するものとすることができる。このようにすれば、上流配管と下流配管との間に、水道メータを配置するスペースを確保しやすい。
【発明の効果】
【００１８】
本発明のメータユニットによれば、１次側配管から２次側配管へ向かう水の流れを遮断せず、水道メータを交換できる。
【図面の簡単な説明】
【００１９】
【図１】本発明を適用した水道メータユニットの平面図である。
【図２】水道メータユニットの断面図である。
【図３】バイパス配管および下流配管を構成する部材の平面図である。
【発明を実施するための形態】
【００２０】
以下に、図面を参照して、本発明の実施の形態であるメータユニットを説明する。
【００２１】
（水道メータユニット）
図１は、水道管の途中に設置された水道メータユニットを上方から見た場合の平面図である。図１ではユニットボックスの蓋が取り除かれている。図２は、図１の水道メータユニットの断面図である。図２ではバイパス配管を鎖線で示す。図３は、バイパス配管および下流配管を構成する一つの部材の平面図である。
【００２２】
本例の水道メータユニット１（メータユニット）は、配水管から家屋などの建造物に水道水を引き込む水道管の途中に設置される。図１に示すように、水道メータユニット１は、水道管を構成する１次側配管２と２次側配管３との間に設置される。１次側配管２と２次側配管３とは、直線上に配置されて、地中に埋設されている。水は、１次側配管２から２次側配管３に向かう流水方向Ｓに流れる。
【００２３】
水道メータユニット１は、ユニット本体５と、ユニット本体５を収容するユニットボックス６とを備える。ユニット本体５は、１次側配管２と２次側配管３とを水道メータ７を経由して接続する主配管８と、水道メータ７を迂回するバイパス配管９を有する。バイパス配管９は、水道メータ７よりも上流で主配管８から分岐し、水道メータ７よりも下流で主配管８に合流する。
【００２４】
主配管８は、水道メータ７の上流に位置する上流配管１１と、水道メータ７の下流に位置する下流配管１２と、を備える。また、主配管８は、水道メータ７と下流配管１２との間に配置された逆止弁１３と、止水栓１４とを備える。止水栓１４は逆止弁１３と下流配管１２との間に位置する。止水栓１４は、ボール止水栓である。バイパス配管９は、上流配管１１から分岐し、水道メータ７、逆止弁１３、および止水栓１４の側方を迂回して、下流配管１２に合流する。
【００２５】
ユニットボックス６は、全体として、直方体形状をしている。図２に示すように、ユニットボックス６は、上端部分に開口部１６を備える。また、ユニットボックス６は、開口
部１６を開閉する蓋１７を備える。さらに、ユニットボックス６は、流水方向Ｓと一致する長手方向の一方の端壁１９に円形の第１開口部２０を備える。第１開口部２０からは、上流配管１１の上流端部分が外側に突出する。上流配管１１の上端は１次側配管２に接続される。また、ユニットボックス６は、長手方向の他方の端壁２１に円形の第２開口部２２を備える。第２開口部２２からは、下流配管１２の下流端部分が外側に突出する。下流配管１２の下流端は２次側配管３に接続される。ここで、水道メータユニット１は、ユニットボックス６の蓋１７が地表に露出するようにして地中に埋設される。
【００２６】
上流配管１１は、複数の配管部材から構成されている。図１に示すように、上流配管１１は、配管部材として、１次側配管２に接続された第１管継手２５、第１管継手２５の下流に接続された流路切換弁２６、流路切換弁２６の下流に接続されたフランジ付き管継手２７、および、フランジ付き管継手２７の下流に接続された管部材２８を備える。また、上流配管１１は、フランジ付き管継手２７と水道メータ７とを接続する第１ハウジング継手２９（ジョイント部材）を備える。ここで、管部材２８は水道メータ７の隣に配置されており、管部材２８と水道メータ７とは、第２ハウジング継手３０（メータジョイント部材）により接続される。すなわち、主配管８は、上流配管１１と水道メータ７とを接続する第２ハウジング継手３０を備える。
【００２７】
流路切換弁２６は、上流配管１１におけるバイパス配管９の分岐部分に配置されている。流路切換弁２６は、第１管継手２５に接続される流入口２６ａ、フランジ付き管継手２７が接続される流出口２６ｂを備える。流入口２６ａおよび流出口２６ｂは同軸に設けられている。水道メータユニット１が１次側配管２に接続された状態では、流路切換弁２６の流入口２６ａおよび流出口は１次側配管２の第１管軸Ｌ１上に位置する。また、流路切換弁２６は、流入口２６ａおよび流出口２６ｂの軸線と直交する方向を向く分岐口２６ｃを備える。
【００２８】
図２に示すように、フランジ付き管継手２７は、管状の管継手部分３１と、管継手部分３１の一方端から外周側に広がる矩形のフランジ部分３２と、を備える。フランジ付き管継手２７は、フランジ部分３２を流路切換弁２６に当接させ、管継手部分３１が流出口２６ｂに連通する姿勢で、流路切換弁２６に接続される。
【００２９】
管部材２８は、固定管４１と、固定管４１の管軸方向に移動可能な状態で当該固定管４１に同軸に支持された移動管４２と、移動管４２を固定管４１の管軸方向に移動させる移動管移動機構４３と、を備える。移動管移動機構４３は、例えば、移動管４２が固定管４１の管軸回りの回転することを規制する規制機構（不図示）と、固定管４１の管軸回りに回転可能かつ管軸方向に移動不能な状態で固定管４１の外周側に支持された操作環４４と、操作環４４の内周面に設けられた雌ねじと、移動管４２の外周面に設けられた雄ねじと、を備える。操作環４４の雌ねじは、移動管４２の雄ねじに螺合する。従って、操作環４４を管軸回りに回転させると、移動管４２が固定管４１の管軸方向に進退する。
【００３０】
第１ハウジング継手２９は、フランジ付き管継手２７と管部材２８とを接続する。より詳細には、第１ハウジング継手２９は、フランジ付き管継手２７の管継手部分３１と管部材２８の固定管４１とを、これらの間に隙間を設けた状態で、接続する。ここで、第１ハウジング継手２９は、管継手部分３１の下流端部分および管部材２８の上流端部分に外周側から密着して、管継手部分３１の下流端と管部材２８の上流端との間の隙間を外周側からシールする環状の弾性部材３４と、弾性部材３４を内周側に収容する環状のハウジング部材３５と、を有する。第１ハウジング継手２９は、フランジ付き管継手２７（上流の配管部材）に対して、管部材２８（下流の配管部材）を変位可能に接続する。すなわち、フランジ付き管継手２７と管部材２８との間には隙間があるので、その分、管部材２８はフランジ付き管継手２７に対して変位可能である。
【００３１】
なお、ハウジング部材３５は、フランジ付き管継手２７の管継手部分３１および管部材２８に上方から当接する第１ハウジング部材３６と下方から当接する第２ハウジング部材３７とを備える。第１ハウジング部材３６および第２ハウジング部材３７は、ボルトとナットとを備えるねじ締結機構によって互いに接近する方向に締め付けられている。これにより、第１ハウジング部材３６および第２ハウジング部材３７は、フランジ付き管継手２７の側の内周側端部が管継手部分３１の外周面に設けられた係止部に係止され、管部材２８の側の内周側端部が固定管４１の外周面に設けられた係止部に係止される。係止部は、例えば、管継手部分３１および固定管４１のそれぞれの外周面に設けられた環状溝である。或いは、管継手部分３１および固定管４１のそれぞれの外周面に設けられた環状突起である。
【００３２】
第２ハウジング継手３０は、第１ハウジング継手２９と同一の部材である。第２ハウジング継手３０は、管部材２８の移動管４２と水道メータ７とを接続する。より詳細には、第２ハウジング継手３０は、移動管４２の下流端と水道メータ７とを、これらの間に隙間を設けた状態で、接続する。すなわち、第２ハウジング継手３０は、移動管４２および水道メータ７の上流端部分に外周側から密着して、移動管４２の下流端と水道メータ７との間の隙間を外周側からシールする環状の弾性部材３４と、弾性部材３４を内周側に収容する環状のハウジング部材３５と、を有する。第２ハウジング継手３０は、管部材２８に対して、水道メータ７を変位可能に接続する。すなわち、管部材２８と水道メータ７との間には隙間があるので、その分、水道メータ７は管部材２８に対して変位可能である。
【００３３】
ハウジング部材３５は、移動管４２および水道メータ７の上流端部分に上方から当接する第１ハウジング部材３６と下方から当接する第２ハウジング部材３７とを備える。第１ハウジング部材３６および第２ハウジング部材３７は、ボルトとナットとを備えるねじ締結機構によって互いに接近する方向に締め付けられている。これにより、第１ハウジング部材３６および第２ハウジング部材３７は、移動管４２の側の内周側端部が移動管４２の外周面に設けられた係止部に係止され、水道メータ７の側の内周側端部が水道メータ７の上流端部分の外周面に設けられた係止部に係止される。係止部は、例えば、移動管４２および水道メータ７のそれぞれの外周面に設けられた環状溝、或いは、環状突起である。
【００３４】
下流配管１２は、止水栓１４と２次側配管３との間を接続する。下流配管１２は、止水栓１４に接続された第１開口１２ａ、第１開口１２ａと同軸の第２開口１２ｂ、第１開口１２ａおよび第２開口１２ｂの軸線と直交する方向を向く第３開口１２ｃを備えるチーズ部４７を備える。第２開口１２ｂは、２次側配管３に接続される。
【００３５】
次に、図３に示すように、バイパス配管９は、上流配管１１の流路切換弁２６の分岐口２６ｃに接続されたフランジ付きエルボ部５１、フランジ付きエルボ部５１の下流端から主配管８に沿って直線状に延びる管継手部５２、管継手部５２の下流端に接続されたエルボ部５３を備える。エルボ部５３の下流端は下流配管１２のチーズ部４７の第３開口１２ｃに接続されている。ここで、バイパス配管９および下流配管１２は、フランジ付きエルボ部５１に対応するフランジ付きエルボ、管継手部５２に対応する管継手、エルボ部５３に対応するエルボ、およびチーズ部４７に対応するチーズを、溶接によって接続して一体としたものである。すなわち、バイパス配管９と下流配管１２とは、一つの部材５０からなる。
【００３６】
ここで、図２に示すように、ユニット本体５は、流路切換弁２６および下流配管１２を下方から支持するベース部材５６を備える。ベース部材５６には、流路切換弁２６および下流配管１２が固定されている。また、ベース部材５６には、逆止弁１３および止水栓１４が固定されている。フランジ付き管継手２７、管部材２８、第１ハウジング継手２９、
第２ハウジング継手３０、および水道メータ７は、ベース部材５６には固定されていない。
【００３７】
ベース部材５６は、ユニットボックス６の底板２４に固定されている。本例では、ユニット本体５がベース部材５６を備えるので、上流配管１１と逆止弁１３との間に、水道メータ７を挿入するスペースを確実に確保できる。
【００３８】
（水道メータの交換）
水道メータユニット１が水道管の途中に設置された状態では、水道メータユニット１内の水路は、水道メータ７を経由する主配管８とされている。また、止水栓１４は、開状態とされている。これにより、１次側配管２から水道メータユニット１に流入する水は、水道メータ７により計測されて、２次側配管３に向かう。
【００３９】
水道メータ７を交換する際には、ユニットボックス６の蓋１７を開き、流路切換弁２６を操作する。これにより、水道メータユニット１の水路を、主配管８からバイパス配管９に切り替える。また、止水栓１４を操作して閉状態とする。これにより、１次側配管２から水道メータユニット１に流入する水は、バイパス配管９を経由して、２次側配管３に向かう。また、主配管８における流路切換弁２６と止水栓１４との間は、水が流通しない状態となる。
【００４０】
次に、第２ハウジング継手３０を取り外す。すなわち、第２ハウジング継手３０の第１ハウジング部材３６と第２ハウジング部材３７を上下に分離する。その後、管部材２８の操作環４４を操作して、移動管４２を水道メータ７から離間させる方向に後退させる。これにより、管部材２８（移動管４２）と逆止弁１３との間が広がるので、水道メータ７の取り外しが容易となる。また、流路切換弁２６と止水栓１４との間には水が流通していないので、水道メータ７の取り外しは容易である。
【００４１】
次に、新たな水道メータ７を管部材２８と逆止弁１３との間に配置する。そして、管部材２８の操作環４４を操作して、移動管４２を水道メータ７に接近させる方向に移動させる。また、第２ハウジング継手３０によって管部材２８（移動管４２）と水道メータ７とを接続する。
【００４２】
ここで、水道メータユニット１が接続される１次側配管２と２次側配管３とは、通常は、同軸上に位置する。しかし、１次側配管２と２次側配管３とが地中に埋設されている場合には、地盤の沈下、隆起、横ずれにより、これらが同軸上からずれることがある。この場合には、１次側配管２に接続される上流配管１１および２次側配管３に接続される２次側配管３も同軸上からずれてしまう。この結果、水道メータ７の前後に位置する上流配管１１と逆止弁１３とが同軸上からずれる。また、上流配管１１と下流配管１２とはバイパス配管９により接続されているので、上流配管１１および下流配管１２が同軸上からずれると、バイパス配管９に外力が作用する。従って、この外力に起因して、同軸上からずれた上流配管１１と下流配管１２とを再び同軸上に位置させることが困難となる。この結果、上流配管１１と下流配管１２との間に水道メータを接続することが容易ではなくなる。
【００４３】
かかる問題に対して、本例では、上流配管１１が第１ハウジング継手２９を備えるので、管部材２８をフランジ付き管継手２７に対して変位させることができる。換言すれば、１次側配管２の第１管軸Ｌ１に対して、管部材２８を傾斜させることができる。従って、１次側配管２と２次側配管３が同軸上からずれた場合でも、管部材２８を変位させることにより、上流配管１１の下流端に位置する管部材２８と、下流配管１２とを同軸上に配置できる。この結果、管部材２８と逆止弁１３とを同軸上に配置できるので、上流配管１１と逆止弁１３との間に水道メータ７を接続することができる。
【００４４】
また、管部材２８は、水道メータ７に接近する方向および離間する方向に進退する移動管４２を備える。従って、管部材２８を変位させたときに管部材２８の下流端と下流配管１２の上流端との間の距離が変化する場合には、移動管４２を進退させて、これらの間の距離を適切な距離とすることができる。これにより、管部材２８と逆止弁１３との間に水道メータ７を配置することが容易となる。
【００４５】
さらに、本例では、上流配管１１が第２ハウジング継手３０を備える。従って、上流配管１１の下流端部分の管軸（管部材２８の管軸）に対して水道メータ７を傾斜させた状態で、上流配管１１と水道メータ７とを接続できる。よって、１次側配管２と２次側配管３が同軸上からずれた場合でも、上流配管１１と逆止弁１３との間に水道メータ７を接続することが容易となる。よって、水道メータ７の交換が容易である。
【００４６】
ここで、本例では、バイパス配管９および下流配管１２は、一つの部材５０からなる。すなわち、下流配管１２およびバイパス配管９は、フランジ付きエルボ部５１、管継手部５２、エルボ部５３、およびチーズ部４７に対応する複数の配管部材から構成されているが、これらの配管部材が袋ナットやボルトなどで締結されているのではなく、溶接により一体化されている。従って、バイパス配管９に外力が作用した場合でも、バイパス配管９および下流配管１２から、水漏れが発生することがない。
【００４７】
なお、水道メータ７を交換した後には、流路切換弁２６を操作して、水道メータユニット１内の水路を主配管８に切り替えるとともに、止水栓１４を開き状態とする。これにより、１次側配管２からの水は、水道メータ７を経由して、２次側配管３に流れる。ここで、水道メータユニット１は、逆止弁１３を備えるので、水が２次側配管３の側から水道メータ７に逆流することがない。
【００４８】
（作用効果）
本例の水道メータユニット１によれば、１次側配管２から２次側配管３へ向かう水の流れを遮断せず、容易に水道メータを交換できる。
【００４９】
また、本例によれば、水道管を構成する１次側配管２と２次側配管３との間に水道メータユニット１を設置する際に、１次側配管２と２次側配管３とが同軸上に位置していない場合でも、水道メータユニット１の内部で１次側配管２と２次側配管３のずれを補正できる。従って、水道メータユニット１の設置が容易である。
【００５０】
（その他の実施の形態）
上記の例では、上流配管１１は、流路切換弁２６の下流側に第１ハウジング継手２９を備えるが、流路切換弁２６の上流側に第１ハウジング継手２９を備えてもよい。例えば、第１管継手２５と流路切換弁２６とを第１ハウジング継手２９により接続してもよい。この場合には、第１管継手２５に対して、流路切換弁２６が変位させることができる。また、第１管継手２５を２つの管部材から構成して、これら２つの管部材を第１ハウジング継手２９により接続してもよい。この場合には、上流の管部材に対して下流の管部材を変位させることができる。
【００５１】
また、第２ハウジング継手３０は省略してもよい。この場合には、管部材２８と逆止弁１３との間に配置された水道メータ７を、移動管４２と逆止弁１３との間に挟んで、圧着固定すればよい。
【００５２】
さらに、第１ハウジング継手２９、第２ハウジング継手３０に替えて、伸縮継手などの可撓性を有する管継手を用いて２つの配管部材を接続してもよい。
【００５３】
なお、バイパス配管９および下流配管１２を複数の配管部材から構成してもよい。すなわち、下流配管１２およびバイパス配管９は、フランジ付きエルボ、管継手、エルボ、チーズなどの配管部材を、袋ナットやボルトなどによって締結して、構成してもよい。
【００５４】
また、水道メータユニット１において、逆止弁１３および止水栓１４の一方または両方を省略することもできる。
【符号の説明】
【００５５】
１…水道メータユニット(メータユニット）、２…１次側配管、３…２次側配管、５…ユニット本体、６…ユニットボックス、７…水道メータ、８…主配管、９…バイパス配管、１１…上流配管、１２…下流配管、１２ａ…第１開口、１２ｂ…第２開口、１２ｃ…第３開口、１３…逆止弁、１４…止水栓、１６…開口部、１７…蓋、１９…一方の端壁、２０…第１開口部、２１…他方の端壁、２２…第２開口部、２４…底板、２５…第１管継手、２６…流路切換弁、２６ａ…流入口、２６ｂ…流出口、２６ｃ…分岐口、２７…フランジ付き管継手、２８…管部材、２９…第１ハウジング継手、３０…第２ハウジング継手、３１…管継手部分、３２…フランジ部分、３４…弾性部材、３５…ハウジング部材、３６…第１ハウジング部材、３７…第２ハウジング部材、４１…固定管、４２…移動管、４３…移動管移動機構、４４…操作環、４５…固定機構、４７…チーズ部、５０…一つの部材、５１…フランジ付きエルボ部、５２…管継手部、５３…エルボ部、５６…ベース部材、Ｌ１…１次側配管の第１管軸
【図１】
2020109364.tif 000003
【図２】
2020109364.tif 000004
【図３】
2020109364.tif 000005
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
１次側配管と２次側配管との間に設置されるメータユニットにおいて、
前記１次側配管と前記２次側配管とを水道メータを経由して接続する主配管と、
前記水道メータを迂回するバイパス配管と、を有し、
前記主配管は、前記水道メータの上流で前記１次側配管に接続される上流配管と、前記水道メータの下流で前記２次側配管に接続される下流配管と、を有し、
前記バイパス配管は、前記上流配管から分岐して、前記下流配管に合流し、
前記上流配管は、前記バイパス配管の分岐部分に配置された流路切換弁を含む複数の配管部材と、隣り合う２つの前記配管部材を接続する少なくとも一つのジョイント部材と、を備え、
前記バイパス配管は、前記流路切換弁に接続され、
前記バイパス配管および前記下流配管は、一つの部材からなり、
前記ジョイント部材は、前記流路切換弁と前記水道メータとの間に位置し、上流の前記配管部材に対して下流の前記配管部材を変位可能に接続することを特徴とするメータユニット。
【請求項２】
前記上流配管は、複数の前記配管部材の一つとして前記水道メータの隣に配置される管部材を備え、
前記管部材は、固定管と、前記固定管の管軸方向に移動可能な状態で当該固定管に同軸に支持された移動管と、前記移動管を前記固定管の管軸方向に進退させる移動管移動機構と、を備え、
前記ジョイント部材は、前記管部材の固定管と、前記管部材の上流の前記配管部材とを接続することを特徴とする請求項１に記載のメータユニット。
【請求項３】
前記ジョイント部材は、ハウジング継手であることを特徴とする請求項１または２に記載のメータユニット。
【請求項４】
前記主配管は、前記上流配管と前記水道メータとを接続するメータジョイント部材を備え、
前記メータジョイント部材は、前記上流配管に対して前記水道メータを変位可能に接続することを特徴とする請求項１から３のうちのいずれか一項に記載のメータユニット。
【請求項５】
前記主配管は、前記水道メータと前記下流配管との間に逆止弁を備えることを特徴とする請求項１から４のうちのいずれか一項に記載のメータユニット。
【請求項６】
前記主配管は、前記逆止弁と前記下流配管との間に止水栓を備えることを特徴とする請求項５に記載のメータユニット。
【請求項７】
前記流路切換弁および前記下流配管が固定されたベース部材を有することを特徴とする請求項１から６のうちのいずれか一項に記載のメータユニット。
【手続補正２】
【補正対象書類名】明細書
【補正対象項目名】０００７
【補正方法】変更
【補正の内容】
【０００７】
上記の課題を解決するために、本発明は、１次側配管と２次側配管との間に設置されるメータユニットにおいて、前記１次側配管と前記２次側配管とを水道メータを経由して接続する主配管と、前記水道メータを迂回するバイパス配管と、を有し、前記主配管は、前記水道メータの上流で前記１次側配管に接続される上流配管と、前記水道メータの下流で前記２次側配管に接続される下流配管と、を有し、前記バイパス配管は、前記上流配管から分岐して、前記下流配管に合流し、前記上流配管は、前記バイパス配管の分岐部分に配置された流路切換弁を含む複数の配管部材と、隣り合う２つの前記配管部材を接続する少なくとも一つのジョイント部材と、を備え、前記バイパス配管は、前記流路切換弁に接続され、前記バイパス配管および前記下流配管は、一つの部材からなり、前記ジョイント部材は、前記流路切換弁と前記水道メータとの間に位置し、上流の前記配管部材に対して下流の前記配管部材を変位可能に接続することを特徴とする。
【手続補正３】
【補正対象書類名】明細書
【補正対象項目名】００１０
【補正方法】変更
【補正の内容】
【００１０】
本発明において、前記バイパス配管および前記下流配管は、一つの部材からなる。従って、バイパス配管に外力が加わった場合でも、バイパス配管および下流配管から水漏れが発生することがない。ここで、一つの部材とは、バイパス配管および下流配管が単一の配管部材から構成されている場合、および、複数の配管部材が溶接により一体化されている場合を含む。例えば、バイパス配管および下流配管が、エルボ、管部材、チーズ、などの複数の配管部材から構成されている場合に、これらが袋ナットやボルトなどによって相互に締結されているのではなく、溶接により接続されて一体化している場合には、一つの部材からなる。
【手続補正４】
【補正対象書類名】明細書
【補正対象項目名】００１１
【補正方法】変更
【補正の内容】
【００１１】
本発明において、前記ジョイント部材は、前記流路切換弁と前記水道メータとの間に位置する。これにより、水道メータに比較的近い位置で上流配管と下流配管との間に発生した位置ずれを補正できるので、補正が容易である。